(57)【要約】【課題】本発明は、極性を視認できるコイル部品において、接合信頼性を向上させることを目的とする。【解決手段】そして、この目的を達成するために本発明は、本体４と、この本体４の下方に設けた端子５と、本体４の下方に設けた端子６とを備え、端子５の表面積と端子６の表面積とが略等しく且つ端子５の形状と端子６の形状とが異なるコイル部品としたものである。このことにより、接合信頼性の低下を防ぐことができ、且つ極性を視認することができる。【選択図】図１
2007081005.tif 000002
【特許請求の範囲】
【請求項１】
本体と、この本体の下方に設けた第１の端子と、前記本体の下方に設けた第２の端子とを備え、前記第１の端子の表面積と前記第２の端子の表面積とが略等しく、前記第１の端子の形状と前記第２の端子の形状とが異なる電子部品。
【請求項２】
第１の端子と第２の端子とが凹凸を有する請求項１に記載の電子部品。
【請求項３】
本体と、この本体の下方に設けた第１の端子と、前記本体の下方に設けた第２の端子とを備え、前記第１の端子はその下面に長手方向を有する第１の凸部を有し、前記第２の端子はその下面に長手方向を有する第２の凸部を有し、前記第１の凸部の長手方向と前記第２の凸部の長手方向とが異なる電子部品。
【発明の詳細な説明】
【技術分野】
【０００１】
本発明は、携帯電話等、各種電子機器に用いられる電子部品に関するものである。
【背景技術】
【０００２】
従来この種の電子機器は、下方から見た図４に示されるように、本体１の下面１Ａに大きさの異なる大端子２と小端子３とを備えており、それぞれの端子の極性が視認できるようになっていた。
【０００３】
例えば、電子部品の１つであるコイル部品において、隣り合う二つのコイル部品における端子の極性を逆に実装した場合、互いの磁束が打ち消しあい所望の特性を得ることができない場合がある。
【０００４】
電子機器自体の小型化が進む中で本体１の小型化も進み、この本体１に極性を表示することは非常に困難となっており、端子の大きさで極性を判断できることはその点において有効であった。
【０００５】
なお、この出願に関する先行技術文献情報としては、例えば、特許文献１が知られている。
【特許文献１】特許第３０６０９７１号公報
【発明の開示】
【発明が解決しようとする課題】
【０００６】
このような従来の電子部品は実装する基板との接続信頼性の悪さが問題となっていた。
【０００７】
すなわち、上記従来の構成においては、ただでさえ小さな電子部品において、極性の視認性を確保するために小端子３を大端子２よりもさらに小さくする必要があり、このような非常に小さな小端子３を基板等の電極（図示せず）に実装すると、その接合面積の小ささから接続信頼性が悪くなっていた。
【０００８】
そこで本発明は、極性を視認できる電子部品において、接合信頼性を向上させることを目的とする。
【課題を解決するための手段】
【０００９】
そして、この目的を達成するために本発明は、本体と、この本体の下方に設けた第１の端子と、前記本体の下方に設けた第２の端子とを備え、前記第１の端子の表面積と前記第２の端子の表面積とが略等しく且つ前記第１の端子の形状と前記第２の端子の形状とが異なる電子部品としたものである。
【発明の効果】
【００１０】
本発明の電子部品は、第１の端子と第２の端子の表面積を略等しくすると共に、その形状を異ならせたため、どちらか一方の表面積を小さくすることによる接合信頼性の低下を防ぐことができ、且つ形状を異ならせているため、極性を視認することができる。
【００１１】
さらに、どちらか一方の端子の表面積を小さくしないため、基板と電子部品本体との間の導電性を、その一方に制限されることがないため高く保つことができるという効果を有する。
【発明を実施するための最良の形態】
【００１２】
（実施の形態１）
以下、本発明の実施の形態１における電子部品について図面を参照しながら説明する。
【００１３】
図１は本実施の形態において示す電子部品の下面図である。図１に示すごとく、本体４の下方には端子５と、端子６とを備え、端子５と端子６の表面積をほぼ等しくするとともに、端子５の形状は円柱状、端子６の形状は丸みを帯びた四角柱状と、その形状を異ならせている。
【００１４】
このような構成により、端子５と端子６との極性を容易に認識することができ、かつ、片方の端子の表面積を極端に小さくすることがないため、接続信頼性の低下を防ぐことができると共に、導電性を高く保つことができる。
【００１５】
なお、その他様々な多角形や楕円などの端子を用いてもかまわないが、楕円のように丸みを帯びている形状のものは、端が欠けたりする心配がなく望ましい。
【００１６】
（実施の形態２）
以下、本発明の実施の形態２における電子部品について図面を参照しながら説明する。
【００１７】
図３は本実施の形態において示す電子部品の下方からの斜視図である。図３に示すごとく、本体４の下方には、端子９と、端子１０とを備え、端子９および端子１０はその下面に長手方向を有する凸部９Ａ、１０Ａをそれぞれ有しており、この凸部９の長手方向をＹ方向、凸部１０の長手方向をＸ方向とすることで、端子９と端子１０との全体の形状を異ならせている。
【００１８】
このような構成により、実施の形態１にも増して、端子極性の視認性を向上させている。即ち、数マイクロオーダーのような非常に小さい電子部品においては、その極性を認識するため斜め方向から光を照射し、それによりできた影を利用して画像認識を行うが、端子の極性を見分けるにはそれぞれの端子の輪郭形状のみの情報に頼るしかない。しかし、本実施形態のように凸部９Ａと凸部１０Ａの長手方向の向きを変えた場合、端子９にできる影はＹ方向に伸びる複数の線分となり、端子１０にできる影はＸ方向に伸びる複数の線分となるため、非常に認識しやすい構成となっている。このとき、凸部９Ａの長手方向と凸部１０Ａの長手方向とは垂直でなくてもかまわないが、略垂直にすることにより、より端子極性の視認性を向上させることができる。さらに、全ての凸部９Ａの長手方向を略同一にし、全ての凸部１０Ａの長手方向を略同一にすると、より端子極性の視認性を向上させている。
【００１９】
さらに、凹凸を有する端子９と凹凸を有する端子１０のどちらか一方の表面積を小さくする必要が無いため、図２に示す基板７の電極（図示せず）との接合信頼性を向上させることができると共に、導電性を高く保つことができる。
【００２０】
さらに、凸部９Ａ、１０Ａを設けることにより、基板７の電極（図示せず）との接合面積をより高めることができ、接合強度を確保することができる。
【００２１】
さらに、半田８が未硬化な状態においても、電子部品がずれにくいという効果を有する。即ち、未硬化状態の半田８は表面張力を有するため、端子９に対しては図３に示すＸ方向に、端子１０に対してはＹ方向にその力が加わる。そのため、電子部品全体において、四方から表面張力が加わり、半田８が未硬化な状態であっても電子部品が基板７からずれにくいという効果を有する。この効果は、凸部９Ａの長手方向と凸部１０Ａの長手方向とが略直角であると、その効果を最大にすることができ望ましく、また、凸部９Ａと凸部１０Ａの数と大きさを略同じにすることにより、四方からかかる力を均等にすることができ望ましい。
【産業上の利用可能性】
【００２２】
本発明の電子部品は、接合信頼性の低下を防ぐことができ、且つ極性を視認することができるという効果を有し、携帯電話等、各種電子機器において有用である。
【図面の簡単な説明】
【００２３】
【図１】本発明の実施の形態１におけるコイル部品の下面図
【図２】本発明の実施の形態１におけるコイル部品と基板の側面図
【図３】本発明の実施の形態２におけるコイル部品の斜視図
【図４】従来の電子部品の斜視図
【符号の説明】
【００２４】
４  本体
５  端子
６  端子
【図１】
2007081005.tif 000003
【図２】
2007081005.tif 000004
【図３】
2007081005.tif 000005
【図４】
2007081005.tif 000006